(57)【要約】【課題】  プラント運転データのバックアップ先の記憶媒体からプラント運転データを直接検索して表示可能なプラント運転データ収集装置と方法を提供する。【解決手段】  プラント運転データ収集装置１は、制御用計算機２からプラント運転データ１０１を収集するプラント運転データ収集手段１１、収集したプラント運転データを履歴保存するプラント運転データ記憶手段１２、保存したプラント運転データを検索するデータ検索手段１３、簡易データ検索プログラム記憶手段１４、データバックアップ手段１５を有する。簡易データ検索プログラム記憶手段は、コンピュータを制御してプラント運転データを簡易的に検索する簡易データ検索手段を実現させる簡易データ検索プログラム１０２を保存する。データバックアップ手段は、各記憶手段に保存されたプラント運転データと簡易データ検索プログラムをバックアップ用記憶媒体３にバックアップする。【選択図】  図１
2006228163.tif 000002
【特許請求の範囲】
【請求項１】
プラントの制御運転を行う制御用計算機のプラント運転データを履歴管理するプラント運転データ収集装置において、
前記制御用計算機から送信されるプラント運転データを受信して収集するプラント運転データ収集手段と、
収集したプラント運転データを履歴保存するプラント運転データ記憶手段と、
前記プラント運転データ記憶手段に保存されているプラント運転データを検索するデータ検索手段と、
コンピュータを制御してプラント運転データを簡易的に検索する簡易データ検索手段を実現させる簡易データ検索プログラムを保存する簡易データ検索プログラム記憶手段と、
前記プラント運転データ記憶手段に保存されているプラント運転データと前記簡易データ検索プログラム記憶手段に保存されている前記簡易データ検索プログラムをバックアップ用記憶媒体にバックアップするデータバックアップ処理を実行するデータバックアップ手段
を有することを特徴とするプラント運転データ収集装置。
【請求項２】
前記データバックアップ手段は、予め設定されたデータバックアップの実行スケジュールに応じてデータバックアップ処理を実行するように構成されている
ことを特徴とする請求項１に記載のプラント運転データ収集装置。
【請求項３】
前記データバックアップ手段は、前記プラント運転データ記憶手段に保存されているプラント運転データが修正された場合に、このデータ修正を検知してデータバックアップ処理を実行するように構成されている
ことを特徴とする請求項１または請求項２に記載のプラント運転データ収集装置。
【請求項４】
前記データバックアップ手段は、前記プラント運転データ記憶手段に保存されているプラント運転データのデータバックアップを実行する場合に、当該プラント運転データを、当該データに係るプラントユニット、データ項目、データ種別、期間、のいずれかを含む分類用情報に応じて分類して、分類結果として得られるデータを前記バックアップ用記憶媒体にバックアップするように構成されている
ことを特徴とする請求項１乃至請求項３のいずれか１項に記載のプラント運転データ収集装置。
【請求項５】
前記プラント運転データ記憶手段に保存されているプラント運転データを削除するデータ削除手段と、
前記データ削除手段により、前記プラント運転データ記憶手段に保存されているプラント運転データのデータ削除を開始しようとする場合に、前記データバックアップ手段による当該プラント運転データのデータバックアップが実行済みであるか否かを確認して、実行されていない場合には、前記データ削除手段に当該プラント運転データのデータ削除を中止させるバックアップ状態確認手段
を有することを特徴とする請求項１乃至請求項４のいずれか１項に記載のプラント運転データ収集装置。
【請求項６】
前記データバックアップ手段により、前記プラント運転データ記憶手段に保存されているプラント運転データのデータバックアップを実行した場合に、バックアップされた当該プラント運転データの詳細情報を一覧表示する処理を行うバックアップデータ一覧表示処理手段
を有することを特徴とする請求項１乃至請求項５のいずれか１項に記載のプラント運転データ収集装置。
【請求項７】
プラントの制御運転を行う制御用計算機のプラント運転データを履歴管理するプラント運転データ収集方法において、
プラント運転データ収集手段、プラント運転データ記憶手段、データ検索手段、簡易データ検索プログラム記憶手段、およびデータバックアップ手段を有するプラント運転データ収集装置を用いて、
前記簡易データ検索プログラム記憶手段には、コンピュータを制御してプラント運転データを簡易的に検索する簡易データ検索手段を実現させる簡易データ検索プログラムを予め保存しておき、
前記プラント運転データ収集手段により、前記制御用計算機から送信されるプラント運転データを受信して収集し、収集したプラント運転データを前記プラント運転データ記憶手段に履歴保存するプラント運転データ収集処理と、
前記データ検索手段により、前記プラント運転データ記憶手段に保存されているプラント運転データを検索するデータ検索処理と、
前記データバックアップ手段により、前記プラント運転データ記憶手段に保存されているプラント運転データと前記簡易データ検索プログラム記憶手段に保存されている前記簡易データ検索プログラムをバックアップ用記憶媒体にバックアップするデータバックアップ処理
を行うことを特徴とするプラント運転データ収集方法。
【発明の詳細な説明】
【技術分野】
【０００１】
本発明は、発電プラントなどのプラント運転データを履歴管理するプラント運転データ収集装置に関するものである。
【背景技術】
【０００２】
発電プラントにおいては、プラント運転データを長期間履歴保存して、履歴保存したプラント運転データを使ってグラフ表示や各種解析処理を行うことにより、設備の劣化傾向や運転特性の変動等を把握して設備補修計画を立案している。従来、プラント運転データを長期履歴保存する装置として、例えば、特許文献１，２に示されるプラント運転データ収集装置がある。
【０００３】
このプラント運転データ収集装置は、通常、磁気ディスク装置にプラント運転データを保存するが、磁気ディスク装置の容量の限界から保存できるデータ量が決められている。そのため、磁気ディスク装置のこの限界を超えるプラント運転データについては、バックアップ用の他の記憶媒体にデータをバックアップしてから、当該磁気ディスク装置のデータを削除することにより、当該磁気ディスク装置中に、プラント運転データを新たに保存するエリアを確保している。
【０００４】
【特許文献１】特開平９−３１９７７０
【特許文献２】特開２００１−１７５３２３
【発明の開示】
【発明が解決しようとする課題】
【０００５】
しかしながら、上記のような従来のプラント運転データ収集装置においては、バックアップ用の他の記憶媒体にバックアップしたデータを表示する場合には、その都度、バックアップ先の当該記憶媒体から、当該プラント運転データ収集装置の磁気ディスク装置にデータを復元して、当該プラント運転データ収集装置自体が有するデータ検索機能によりデータを表示させる必要があった。
【０００６】
そのため、プラント運転データのバックアップ先の記憶媒体からプラント運転データを直接検索して表示させることはできず、バックアップデータを効率よく活用することが困難であった。
【０００７】
本発明は、上述した従来技術の課題を解決するために提案されたものであり、その目的は、プラント運転データのバックアップ先の記憶媒体からプラント運転データを直接検索して表示可能なプラント運転データ収集装置と方法を提供することである。また、データバックアップ機能の信頼性に優れたプラント運転データ収集装置を提供することも、本発明の目的の一つである。
【課題を解決するための手段】
【０００８】
本発明は、上記のような目的を達成するために、プラント運転データを簡易的に検索する簡易データ検索手段を実現させる簡易データ検索プログラムをプラント運転データと共にバックアップ用記憶媒体にバックアップすることにより、プラント運転データのバックアップ先の記憶媒体からプラント運転データを直接検索して表示できるようにしたものである。
【０００９】
すなわち、本発明のプラント運転データ収集装置は、プラントの制御運転を行う制御用計算機のプラント運転データを履歴管理するプラント運転データ収集装置において、プラント運転データ収集手段、プラント運転データ記憶手段、データ検索手段、簡易データ検索プログラム記憶手段、およびデータバックアップ手段を有することを特徴としている。
【００１０】
ここで、プラント運転データ収集手段は、制御用計算機から送信されるプラント運転データを受信して収集する手段であり、プラント運転データ記憶手段は、収集したプラント運転データを履歴保存する手段であり、データ検索手段は、プラント運転データ記憶手段に保存されているプラント運転データを検索する手段である。簡易データ検索プログラム記憶手段は、コンピュータを制御してプラント運転データを簡易的に検索する簡易データ検索手段を実現させる簡易データ検索プログラムを保存する手段である。データバックアップ手段は、プラント運転データ記憶手段に保存されているプラント運転データと簡易データ検索プログラム記憶手段に保存されている簡易データ検索プログラムをバックアップ用記憶媒体にバックアップするデータバックアップ処理を実行する手段である。
【００１１】
また、本発明のプラント運転データ収集方法は、上記の装置の特徴を方法の観点から把握したものである。
【００１２】
以上のような特徴を有する本発明においては、通常のデータ検索手段とは別に、簡易データ検索手段を実現させる簡易データ検索プログラムを保存しておき、プラント運転データだけでなく、簡易データ検索プログラムをバックアップ用記憶媒体にバックアップすることにより、バックアップ用記憶媒体に保存されたプラント運転データを、共に保存された簡易データ検索プログラムにより、直接検索して表示させることができる。
【発明の効果】
【００１３】
本発明によれば、プラント運転データを簡易的に検索する簡易データ検索手段を実現させる簡易データ検索プログラムをプラント運転データと共にバックアップ用記憶媒体にバックアップすることにより、プラント運転データのバックアップ先の記憶媒体からプラント運転データを直接検索して表示可能なプラント運転データ収集装置と方法を提供することができる。
【発明を実施するための最良の形態】
【００１４】
［第１の実施形態］
図１は、本発明を適用した第１の実施形態に係るプラント運転データ収集装置の構成を示すブロック図である。
【００１５】
この図１に示すように、本実施形態に係るプラント運転データ収集装置１は、発電プラントなどの対象プラントの制御運転を行う制御用計算機２のプラント運転データを履歴管理すると共に、プラント運転データをバックアップ用記憶媒体３にバックアップするデータバックアップ機能を有するものである。
【００１６】
このプラント運転データ収集装置１はまず、プラント運転データを履歴管理するための基本的な構成として、制御用計算機２から送信されるプラント運転データ１０１を受信して収集するプラント運転データ収集手段１１、収集したプラント運転データ１０１を履歴保存するプラント運転データ記憶手段１２、ユーザからの検索要求に応じてプラント運転データ記憶手段１２に保存されているプラント運転データ１０１を検索するデータ検索手段１３を有する。
【００１７】
プラント運転データ収集装置１は、このような基本的な構成に加えて、データバックアップ機能を実現するための構成として、簡易データ検索プログラム記憶手段１４およびデータバックアップ手段１５を有する。ここで、簡易データ検索プログラム記憶手段１４は、コンピュータを制御してプラント運転データ１０１を簡易的に検索する簡易データ検索手段を実現させる簡易データ検索プログラム１０２を保存する手段である。なお、簡易データ検索プログラム１０２は、プラント運転データ収集装置１を通常運転させる前の準備作業により、簡易データ検索プログラム記憶手段１４に予め保存されている。
【００１８】
また、データバックアップ手段１５は、ユーザからのバックアップ要求に応じてプラント運転データ記憶手段１２に保存されているプラント運転データ１０１と簡易データ検索プログラム記憶手段１４に保存されている簡易データ検索プログラム１０２をバックアップ用記憶媒体３にバックアップするデータバックアップ処理を実行する手段である。このデータバックアップ手段１５は、さらにその下位の手段として、データバックアップ処理の実行主体となるデータバックアップ実行手段１５１と、ユーザからのバックアップ要求を受け付けた際にデータバックアップ実行手段１５１に対して実行指令を与え、データバックアップ処理の実行を開始させるデータバックアップ制御手段１５２を有する。
【００１９】
プラント運転データ収集装置１はさらに、ユーザからの削除要求に応じてプラント運転データ記憶手段１２からデータバックアップ済みのプラント運転データ１０１を削除するデータ削除手段１６を有する。
【００２０】
なお、以上のようなプラント運転データ収集装置１は、プラント運転データ収集用として特化されたソフトウェアにより、パーソナルコンピュータあるいはより高性能の各種コンピュータを制御することで実現されるようになっており、ユーザインタフェース４を通じてユーザから検索要求等の各種の指示や入力データを受け取るとともに、検索要求に応じた検索結果等の各種のデータ処理結果をユーザに表示または出力するようになっている。なお、ユーザインタフェース４は、コンピュータが一般的に備えているキーボードやマウス等の各種入力手段およびディスプレイ等の各種出力手段から構成される。
【００２１】
図２は、以上のような構成を有する本実施形態に係るプラント運転データ収集装置１の通常運転時の動作手順を示すフローチャートである。
【００２２】
この図２に示すように、通常運転時において、プラント運転データ収集装置１は、制御用計算機３からプラント運転データ１０１が周期的に送信されるごとに（Ｓ１１０のＹＥＳ）、プラント運転データ収集手段１１によるプラント運転データ収集処理として、プラント運転データ１０１を受信して収集し、収集したプラント運転データ１０１をプラント運転データ記憶手段１２に履歴保存する（Ｓ１２０）。
【００２３】
プラント運転データ収集装置１はまた、ユーザインタフェース４を通じてユーザからの検索要求が与えられた場合に（Ｓ１３０のＹＥＳ）、この検索要求に応じて、データ検索手段１３によるデータ検索処理として、プラント運転データ記憶手段１２に保存されているプラント運転データを検索し、得られた検索結果を、ユーザインタフェース４を通じてユーザに出力する（Ｓ１４０）。
【００２４】
プラント運転データ収集装置１はまた、ユーザインタフェース４を通じてユーザからのバックアップ要求が与えられた場合に、ユーザからのバックアップ要求を受け付けたデータバックアップ制御手段１５２からデータバックアップ実行手段１５１に対してデータバックアップの実行指令を与え（Ｓ１５０のＹＥＳ）、このバックアップ実行指令に応じて、データバックアップ実行手段１５１によりデータバックアップ処理を実行する（Ｓ１６０）。
【００２５】
すなわち、データバックアップ実行手段１５１は、データバックアップ制御手段１５２からのバックアップ実行指令に応じて、データバックアップ処理の実行を開始し、プラント運転データ記憶手段１２に保存されているプラント運転データ１０１と簡易データ検索プログラム記憶手段１４に保存されている簡易データ検索プログラム１０２をそれぞれ取り出し、これらを組み合わせてバックアップ用記憶媒体３にバックアップする。
【００２６】
データバックアップ処理の後、ユーザインタフェース４を通じてユーザからの削除要求が与えられた場合に（Ｓ１７０のＹＥＳ）、この削除要求に応じて、データ削除手段１６によるデータ削除処理として、プラント運転データ記憶手段１２に保存されているプラント運転データ１０１を削除する（Ｓ１８０）。
【００２７】
以上のような第１の実施形態によれば、プラント運転データ収集装置１以外の一般コンピュータ上に、バックアップ用記憶媒体３からプラント運転データ１０１を取込んだ場合に、当該プラント運転データ１０１と組み合わされている簡易データ検索プログラム１０２も共に取込まれ、当該一般コンピュータ上に簡易データ検索手段を構成することができる。
【００２８】
そのため、プラント運転データ収集装置１のプラント運転データ記憶手段１２に復元することなしに、プラント運転データ用のデータ検索手段を持たない一般コンピュータ上においても、バックアップ用記憶媒体３に保存されたプラント運転データ１０１を、それに組み合わされて保存された簡易データ検索プログラム１０２から構成される簡易データ検索手段により、直接検索することができ、その検索結果をユーザに対して表示することができる。
【００２９】
［第２の実施形態］
図３は、本発明を適用した第２の実施形態に係るプラント運転データ収集装置の構成を示すブロック図である。この図３に示すように、本実施形態に係るプラント運転データ収集装置１は、第１の実施形態に係るプラント運転データ収集装置１の構成において、データバックアップ手段１５の構成を変更したものである。
【００３０】
すなわち、本実施形態においては、ユーザからのバックアップ要求を受け付けた際にデータバックアップ実行手段１５１に実行指令を与えるデータバックアップ制御手段１５２に代えて、予め設定されたデータバックアップの実行スケジュールに応じてデータバックアップ実行手段１５１に自動的に実行指令を与えるスケジュール機能付データバックアップ自動制御手段１５３が設けられている。これ以外の構成は、第１の実施形態と同様である。
【００３１】
図４は、以上のような構成を有する本実施形態に係るプラント運転データ収集装置１の通常運転時の動作手順を示すフローチャートである。
【００３２】
この図４に示すように、本実施形態においては、ユーザからのバックアップ要求ではなく、予め設定された実行スケジュールによるバックアップ実行のタイミング毎に、スケジュール機能付データバックアップ自動制御手段１５３からデータバックアップ実行手段１５１に対してデータバックアップの実行指令を与える（Ｓ２１０のＹＥＳ）。そして、このバックアップ実行指令に応じて、データバックアップ実行手段１５１によりデータバックアップ処理を実行する（Ｓ１６０）。この部分を除けば、他の動作手順は、図２に示した第１の実施形態に係る動作手順と同様である。
【００３３】
なお、スケジュール機能付データバックアップ自動制御手段１５３に設定される実行スケジュールは、予め固定的に設定されたスケジュールでもよいが、初期状態では実行タイミングのデフォルト値が設定され、ユーザインタフェース４を通じてユーザから受け取った指示に基づいて実行タイミングを適宜変更するようにしてもよい。
【００３４】
以上のような第２の実施形態によれば、前述した第１の実施形態の効果に加えて、さらに次のような効果が得られる。すなわち、予め設定された実行スケジュールにより、バックアップ実行のタイミング毎に、自動的にプラント運転データのデータバックアップを行なうことができるため、バックアップ実行のタイミング毎に、ユーザがバックアップ要求の操作を行なう必要がない。そのため、バックアップ実行のためのユーザの負担を軽減できると共に、ユーザの操作ミスなどに起因して必要なタイミングにデータバックアップが実行されないなどの不都合の発生を回避し、プラント運転データ収集装置１のデータバックアップ機能の信頼性を向上することができる。
【００３５】
また、本実施形態の変形例として、スケジュール機能付のデータバックアップ自動制御手段１５３に、第１の実施形態におけるデータバックアップ制御手段１５３と同様に、ユーザからのバックアップ要求を受け付ける機能を持たせ、実行スケジュール以外のユーザからの任意のバックアップ要求を随時受け付けるようにしてもよい。このように構成することにより、実行スケジュールに関わらず、緊急時等においてデータバックアップが直ちに必要であるとユーザが判断した場合に、当該ユーザは、データバックアップ手段１５にその時点でバックアップ要求を与えることができ、データバックアップ処理を直ちに実行させることができる。
【００３６】
［第３の実施形態］
図５は、本発明を適用した第２の実施形態に係るプラント運転データ収集装置の構成を示すブロック図である。この図５に示すように、本実施形態に係るプラント運転データ収集装置１は、第１の実施形態に係るプラント運転データ収集装置１の構成において、データバックアップ手段１５の構成を変更したものである。
【００３７】
すなわち、本実施形態においては、データバックアップ制御手段１５２に代えて、ユーザからのバックアップ要求を受け付ける機能だけでなく、プラント運転データ記憶手段１２に保存されているプラント運転データ１０１が修正されたか否かを検知する機能を有する修正検知機能付データバックアップ自動制御手段１５４が設けられている。これ以外の構成は、第１の実施形態と同様である。
【００３８】
図６は、以上のような構成を有する本実施形態に係るプラント運転データ収集装置１の通常運転時の動作手順を示すフローチャートである。
【００３９】
この図６に示すように、本実施形態においては、ユーザからのバックアップ要求だけでなく、プラント運転データ記憶手段１２に保存されているプラント運転データ１０１が修正された場合にも、修正検知機能付データバックアップ自動制御手段１５４によりこのデータ修正を検知して、データバックアップ実行手段１５１に対してデータバックアップの実行指令を与える（Ｓ３１０のＹＥＳ）。そして、このバックアップ実行指令に応じて、データバックアップ実行手段１５１によりデータバックアップ処理を実行する（Ｓ１６０）。この部分を除けば、他の動作手順は、図２に示した第１の実施形態に係る動作手順と同様である。
【００４０】
なお、修正検知機能付データバックアップ自動制御手段１５４における修正検知機能は、既存の各種のデータ監視・比較手法を利用して、容易に実現可能である。例えば、プラント運転データ記憶手段１２に保存されているプラント運転データ１０１を修正した場合に、修正後のプラント運転データ１０１に修正を示す修正情報を与えると共に、修正検知機能付データバックアップ自動制御手段１５４によりプラント運転データ１０１における修正情報の有無を監視するようにすれば、修正情報の有無に応じて、データ修正の有無を容易に検知可能である。
【００４１】
以上のような第３の実施形態によれば、前述した第１の実施形態の効果に加えて、さらに次のような効果が得られる。すなわち、ユーザからのバックアップ要求により、プラント運転データ記憶手段１２に保存されているプラント運転データ１０１のデータバックアップ処理が行われた後に、制御用計算機２からプラント運転データ１０１の修正データが再送される等により、保存されているプラント運転データ１０１に何らかの修正が加えられる可能性がある。
【００４２】
このような場合に、本実施形態においては、プラント運転データ記憶手段１２におけるプラント運転データ１０１のデータ修正を修正検知機能付データバックアップ自動制御手段１５４により自動的に検知して、修正後のデータについて、データバックアップ処理を自動的に再度実行することができる。したがって、プラント運転データ記憶手段１２に保存されているプラント運転データの修正が発生した場合に、修正後のプラント運転データを確実にバックアップすることができるため、プラント運転データ収集装置１のデータバックアップ機能の信頼性を向上することができる。
【００４３】
［第４の実施形態］
図７は、本発明を適用した第４の実施形態に係るプラント運転データ収集装置の構成を示すブロック図である。この図７に示すように、本実施形態に係るプラント運転データ収集装置１は、第１の実施形態に係るプラント運転データ収集装置１の構成において、データバックアップ手段１５の構成を変更したものである。
【００４４】
すなわち、本実施形態は、データバックアップ手段１５に、データバックアップ処理実行時にバックアップするプラント運転データ１０１を、当該プラント運転データ１０１に係るプラントユニット、データ項目、データ種別、期間、のいずれかを含む分類用情報に応じて分類するデータ分類手段１５５を追加したものである。これ以外の構成は、第１の実施形態と同様である。
【００４５】
図８は、以上のような構成を有する本実施形態に係るプラント運転データ収集装置１の通常運転時の動作手順を示すフローチャートである。
【００４６】
この図８に示すように、本実施形態においては、ユーザからのバックアップ要求によるデータバックアップ制御手段１５２からのデータバックアップ実行指令（Ｓ１５０のＹＥＳ）に応じて、データバックアップ実行手段１５１は、データ分類手段１５５にデータ分類処理を行なわせた（Ｓ４１０）後、分類結果として得られたデータについて分類データバックアップ処理を実行する（Ｓ４２０）。
【００４７】
すなわち、データバックアップ実行手段１５１が、プラント運転データ記憶手段１２に保存されているプラント運転データ１０１を取り出して、データ分類手段１５５に渡すことにより、データ分類手段１５５は、データ分類処理として、受け取ったプラント運転データ１０１を、当該プラント運転データ１０１に係るプラントユニット、データ項目、データ種別、期間、のいずれかを含む分類用情報に応じて分類する（Ｓ４１０）。
【００４８】
そして、データバックアップ実行手段１５１は、分類データバックアップ処理として、データ分類手段１５５によるデータ分類処理の分類結果として得られた、「分類されたプラント運転データ１０１ｃ」に、簡易データ検索プログラム１０２を組み合わせて、バックアップ用記憶媒体３にバックアップする（Ｓ４２０）。
【００４９】
なお、このようなデータバックアップに関する部分を除けば、他の動作手順は、図２に示した第１の実施形態に係る動作手順と同様である。
【００５０】
以上のような第４の実施形態によれば、前述した第１の実施形態の効果に加えて、さらに次のような効果が得られる。すなわち、プラント運転データ１０１を、当該プラント運転データ１０１に係るプラントユニット、データ項目、データ種別、期間等の分類用情報で分類して、分類されたプラント運転データ１０１ｃをバックアップ用記憶媒体３にバックアップしているため、バックアップ用記憶媒体３に単なるデータのバックアップを超えた、より利用しやすいデータベースを構成することができる。したがって、バックアップ用記憶媒体３に保存されたデータの再利用性を高めることができる。
【００５１】
［第５の実施形態］
図９は、本発明を適用した第５の実施形態に係るプラント運転データ収集装置の構成を示すブロック図である。
【００５２】
この図９に示すように、本実施形態に係るプラント運転データ収集装置１は、第１の実施形態に係るプラント運転データ収集装置１の構成において、データ削除手段１６により削除しようとするプラント運転データ１０１のデータバックアップが実行済みであるか否かを確認して、実行されていない場合に、当該データのデータ削除を中止させるバックアップ状態確認手段１７を追加したものである。これ以外の構成は、第１の実施形態と同様である。
【００５３】
図１０は、以上のような構成を有する本実施形態に係るプラント運転データ収集装置１の通常運転時の動作手順を示すフローチャートである。
【００５４】
この図１０に示すように、本実施形態においては、ユーザからの削除要求が与えられた場合（Ｓ１７０のＹＥＳ）に、削除対象として指定されたプラント運転データ記憶手段１２に保存されているプラント運転データ１０１について、バックアップ状態確認手段１７により、バックアップ状態確認処理として、当該プラント運転データ１０１のデータバックアップが実行済みであるか否かを確認する（Ｓ５１０）。
【００５５】
そして、削除対象である当該プラント運転データ１０１のデータバックアップが実行済みである場合（Ｓ５１０のＹＥＳ）には、バックアップ状態確認手段１７は、当該プラント運転データ１０１のデータ削除指令をデータ削除手段１６に与える。データ削除手段１６は、このデータ削除指令に応じて、データ削除処理として、当該プラント運転データ１０１をプラント運転データ記憶手段１２から削除する（Ｓ１８０）。
【００５６】
また、削除対象である当該プラント運転データ１０１のデータバックアップが実行されていない場合（Ｓ５１０のＮＯ）には、バックアップ状態確認手段１７は、当該プラント運転データ１０１のデータ削除中止指令をデータ削除手段１６に与える。データ削除手段１６は、このデータ削除中止指令に応じて、当該プラント運転データ１０１のデータ削除を中止する（Ｓ５２０）。これにより、データ削除指令によるデータ削除処理が回避される。
【００５７】
なお、このようなデータ削除に関する部分を除けば、他の動作手順は、図２に示した第１の実施形態に係る動作手順と同様である。
【００５８】
また、バックアップ状態確認手段１７によるバックアップ状態確認機能は、既存の各種のデータ監視・比較手法を利用して、容易に実現可能である。例えば、プラント運転データ記憶手段１２に保存されているプラント運転データ１０１のデータバックアップが実行された場合に、当該プラント運転データ１０１に、データバックアップ実行済みであることを示すバックアップ実行情報を与えると共に、バックアップ状態確認手段１７によりプラント運転データ１０１におけるバックアップ実行情報の有無を監視するようにすれば、バックアップ実行情報の有無に応じて、バックアップ実行済みか否かを容易に確認可能である。
【００５９】
以上のような第５の実施形態によれば、前述した第１の実施形態の効果に加えて、さらに次のような効果が得られる。すなわち、データバックアップが実行されていないプラント運転データ１０１に対して、ユーザが誤って削除要求を与えてしまった場合でも、バックアップ状態確認手段１７のバックアップ状態確認処理により、データバックアップが実行されていないプラント運転データ１０１の削除を確実に防止することができるため、プラント運転データ収集装置１のデータバックアップ機能の信頼性を向上することができる。
【００６０】
［第６の実施形態］
図１１は、本発明を適用した第６の実施形態に係るプラント運転データ収集装置の構成を示すブロック図である。
【００６１】
この図１１に示すように、本実施形態に係るプラント運転データ収集装置１は、第１の実施形態に係るプラント運転データ収集装置１の構成において、プラント運転データ１０１のデータバックアップが実行された場合に、バックアップされた当該プラント運転データの詳細情報を一覧表示する処理を行うバックアップデータ一覧表示処理手段１８を追加したものである。これ以外の構成は、第１の実施形態と同様である。
【００６２】
図１２は、以上のような構成を有する本実施形態に係るプラント運転データ収集装置１の通常運転時の動作手順を示すフローチャートである。
【００６３】
この図１２に示すように、本実施形態においては、データバックアップ実行手段１５１により、プラント運転データ１０１のデータバックアップ処理が実行された場合（Ｓ１６０）に、このデータバックアップ処理の実行に関する情報がデータバックアップ実行手段１５１からバックアップデータ一覧表示処理手段１８に渡される。そして、バックアップデータ一覧表示処理手段１８は、バックアップデータ一覧表示処理として、受け取った情報を用いて、バックアップされた当該プラント運転データ１０１の詳細情報を、ユーザインタフェース４を通じて、予め設定された所定の表示形式でユーザに対して一覧表示する（Ｓ６１０）。
【００６４】
この場合、一覧表示されるプラント運転データ１０１の詳細情報は、例えば、当該プラント運転データ１０１に係るプラントユニット、データ項目、データ種別、期間、等の情報である。
【００６５】
なお、このような、バックアップデータの一覧表示に関する部分を除けば、他の動作手順は、図２に示した第１の実施形態に係る動作手順と同様である。
【００６６】
以上のような第６の実施形態によれば、前述した第１の実施形態の効果に加えて、さらに次のような効果が得られる。すなわち、プラント運転データ１０１のデータバックアップが実行された際に、その詳細情報がユーザに対して一覧表示されるため、ユーザは、データバックアップの実行内容の詳細を目視で容易に確認することができる。
【００６７】
したがって、一部のプラント運転データのデータバックアップが実行されていない場合には、それを確認して、データバックアップ未実行の当該プラント運転データのデータバックアップ要求を行なう等により、全てのプラント運転データのデータバックアップを確実に実行させることができるため、プラント運転データ収集装置１のデータバックアップ機能の信頼性を向上することができる。
【００６８】
［他の実施形態］
なお、本発明は、前述した実施形態に限定されるものではなく、本発明の範囲内で他にも多種多様な変形例が実施可能である。例えば、前述した複数の実施形態を適宜組み合わせることなどが可能である。
【００６９】
また、前記実施形態で示したプラント運転データ収集装置とそれを構成する各手段の具体的な構成や処理手順、処理内容等は、一例にすぎず、プラント運転データを簡易的に検索する簡易データ検索手段を実現させる簡易データ検索プログラムをプラント運転データと共にバックアップ用記憶媒体にバックアップするものである限り、具体的な構成や処理手順、処理内容等は自由に変更可能である。
【００７０】
なお、本発明は、発電プラントのプラント運転データを履歴管理するプラント運転データ収集装置として最適であるが、他にも、化学プラント等のプラント運転データを履歴管理する必要がある各種の産業プラントに同様に適用可能であり、同様に優れた効果が得られるものである。
【図面の簡単な説明】
【００７１】
【図１】本発明を適用した第１の実施形態に係るプラント運転データ収集装置の構成を示すブロック図。
【図２】第１の実施形態に係るプラント運転データ収集装置の通常運転時の動作手順を示すフローチャート。
【図３】本発明を適用した第２の実施形態に係るプラント運転データ収集装置の構成を示すブロック図。
【図４】第２の実施形態に係るプラント運転データ収集装置の通常運転時の動作手順を示すフローチャート。
【図５】本発明を適用した第３の実施形態に係るプラント運転データ収集装置の構成を示すブロック図。
【図６】第３の実施形態に係るプラント運転データ収集装置の通常運転時の動作手順を示すフローチャート。
【図７】本発明を適用した第４の実施形態に係るプラント運転データ収集装置の構成を示すブロック図。
【図８】第４の実施形態に係るプラント運転データ収集装置の通常運転時の動作手順を示すフローチャート。
【図９】本発明を適用した第５の実施形態に係るプラント運転データ収集装置の構成を示すブロック図。
【図１０】第５の実施形態に係るプラント運転データ収集装置の通常運転時の動作手順を示すフローチャート。
【図１１】本発明を適用した第６の実施形態に係るプラント運転データ収集装置の構成を示すブロック図。
【図１２】第６の実施形態に係るプラント運転データ収集装置の通常運転時の動作手順を示すフローチャート。
【符号の説明】
【００７２】
１…プラント運転データ収集装置
２…制御用計算機
３…バックアップ用記憶媒体
４…ユーザインタフェース
１１…プラント運転データ収集手段
１２…プラント運転データ記憶手段
１３…データ検索手段
１４…簡易データ検索プログラム記憶手段
１５…データバックアップ手段
１５１…データバックアップ実行手段
１５２…データバックアップ制御手段
１５３…スケジュール機能付データバックアップ制御手段
１５４…修正検知機能付データバックアップ制御手段
１５５…データ分類手段
１６…データ削除手段
１７…バックアップ状態確認手段
１８…バックアップデータ一覧表示処理手段
１０１…プラント運転データ
１０２…簡易データ検索プログラム
【図１】
2006228163.tif 000003
【図２】
2006228163.tif 000004
【図３】
2006228163.tif 000005
【図４】
2006228163.tif 000006
【図５】
2006228163.tif 000007
【図６】
2006228163.tif 000008
【図７】
2006228163.tif 000009
【図８】
2006228163.tif 000010
【図９】
2006228163.tif 000011
【図１０】
2006228163.tif 000012
【図１１】
2006228163.tif 000013
【図１２】
2006228163.tif 000014